(57)【要約】  本発明は、光源（１３）と、光源（１３）からの光線が伝播できる光学媒体（１０）と、光学媒体（１０）の一つの境界で画定された検出表面（１１）と、光源（１３）から入ってきて検出表面（１１）で反射する光線が反射される画像センサー（１５）とを有する光学画像作成装置に関する。本発明の装置は、画像センサー（１５）上に直接画像を形成できるようにするため光源（１３）が十分に点状であるとして画像センサー（１５）から現われるようにして構成されることを特徴とする。【選択図】      図２
2007516492.tif 000002
【特許請求の範囲】
【請求項１】
光源（１３）と、
光源（１３）からの光線が伝播できる光学媒体（１０）と、
光学媒体（１０）の一つの境界で画定された検出表面（１１）と、
光源（１３）から入ってきて検出表面（１１）で反射する光線が反射される画像センサー（１５）と
を有する光学画像作成装置において、
画像センサー（１５）上に直接画像を形成できるようにするため光源（１３）が十分に点状であるとして画像センサー（１５）から現われるようにして構成されること
を特徴とする光学画像作成装置。
【請求項２】
光源の二つの極限点から出てきて検出表面上の同一点を通過する二つの光線が１００μｍ未満、特に５０μｍ未満分離される画像を形成することを特徴とする請求項１に記載の光学画像作成装置。
【請求項３】
光源（１３）が光学媒体内に配置されていることを特徴とする請求項１又は２に記載の光学画像作成装置。
【請求項４】
光源（１３）が光学媒体の外側に配置されていることを特徴とする請求項１又は２に記載の光学画像作成装置。
【請求項５】
画像センサー（１５）が光学媒体内に配置されていることを特徴とする請求項１〜４のいずれか一項に記載の光学画像作成装置。
【請求項６】
画像センサー（１５）が光学媒体の外側に配置されていることを特徴とする請求項１〜４のいずれか一項に記載の光学画像作成装置。
【請求項７】
光源（１３）から出て画像センサー（１５）に到達する光線が単に検出表面でのみ反射されることを特徴とする請求項１〜６のいずれか一項に記載の光学画像作成装置。
【請求項８】
光源（１３）から出た光線が、画像センサー（１５）に到達する前に特に光学媒体（１０）において少なくとも二回反射を受けることを特徴とする請求項１〜６のいずれか一項に記載の光学画像作成装置。
【請求項９】
画像センサー（１５）が線形センサーであることを特徴とする請求項１〜８のいずれか一項に記載の光学画像作成装置。
【請求項１０】
画像センサー（１５）がマトリックスセンサーであることを特徴とする請求項１〜８のいずれか一項に記載の光学画像作成装置。
【請求項１１】
光源（１３）が変調されることを特徴とする請求項１〜１０のいずれか一項に記載の光学画像作成装置。
【請求項１２】
光源（１３）が幾つかの波長で発光し、画像センサー（１５）がこれらの各波長に相応した画像を分析するように構成されていることを特徴とする請求項１〜１１のいずれか一項に記載の光学画像作成装置。
【請求項１３】
画像センサー（１５）が光学媒体（１０）から分離でき、そして特に支払い又はアクセスカード（２７）のような取外し可能な支持体に結合され、また、光学媒体（１０）がこの支持体（２７）と共動するように構成された読取装置に属し、支持体（２７）が少なくとも一つのマイクロ回路（２６）、特にプロセッサー及び（又は）少なくとも一つの記憶装置を備えたマイクロ回路を随意に備えていることを特徴とする請求項１〜１２のいずれか一項に記載の光学画像作成装置。
【請求項１４】
光源（１３）が画像センサー（１５）の表面のレベルより下方に位置していることを特徴とする請求項１〜１３のいずれか一項に記載の光学画像作成装置。
【請求項１５】
光源が印刷回路、特に多層印刷回路の凹部に配置されていることを特徴とする請求項１４に記載の光学画像作成装置。
【請求項１６】
さらに、画像センサー（１５）及び光源（１３）を覆う透明材料のブロック（３３）を有することを特徴とする請求項１〜１５のいずれか一項に記載の光学画像作成装置。
【請求項１７】
ブロックが画像センサー（１５）及び光源（１３）上に成形されていることを特徴とする請求項１６に記載の光学画像作成装置。
【請求項１８】
ブロックが光源の画像センサーに接合されていることを特徴とする請求項１６に記載の光学画像作成装置。
【請求項１９】
ブロックが紫外線硬化接着剤で接合されていることを特徴とする請求項１８に記載の光学画像作成装置。
【請求項２０】
ブロック（３３）が画像センサー（１５）の頂部に、画像センサー（１５）に達する迷走光線の量を低減する手段を備えていることを特徴とする請求項１６に記載の光学画像作成装置。
【請求項２１】
上記手段が艶消表面を備えていることを特徴とする請求項２０に記載の光学画像作成装置。
【請求項２２】
上記手段がマスクを備えていることを特徴とする請求項２０に記載の光学画像作成装置。
【請求項２３】
ブロック（３３）の材料の色が、迷走光線の伝播を減衰しながら光源から出た光線の伝播を促進させるように光源の波長に応じて選択されることを特徴とする請求項１６に記載の光学画像作成装置。
【発明の詳細な説明】
【技術分野】
【０００１】
本発明は、光学画像作成装置に関するものであり、一層特にしかし排他的ではなしに指紋識別用の光学画像作成装置に関する。
【背景技術】
【０００２】
先行技術に従って製作された光学画像作成装置の一例は添付図面の図１に概略的に示されている。
【０００３】
この装置はプリズム１を有している。光源（図示していない）から出た光線５はプリズム１の第１の面２を介してこのプリズム１に入る。プリズム１の第２の面４は、指Ｆを載せることのできる検出表面を画定している。指Ｆがない場合には、光線はプリズム１の第３の面６に向って総体的に反射される。光線５は、検出表面と接触した指Ｆの盛り上がった特徴でフラストレートした反射を受け、それにより光線が集束レンズ７を通過した後、図示していないＣＣＤ又はＣＭＯＳ形式の画像センサー上に画像を形成することができる。集束レンズ７は装置のコンパクト性を低減する発散成分を除去するように相対的に長い焦点距離のものでなければならない。
【０００４】
特許文献１には、どちらかと言えば同様な光学画像作成装置が記載されている。
【０００５】
特許文献２及び３に記載の発明は、画像を形成する特定のレンズ系を用いて装置のサイズを縮小することを目的としている。しかし、提案された装置は特に複雑で高価である。
【０００６】
特許文献４には、二次元アレイに配列した多数の光センサーを有する画像読取装置が記載されている。光線は、装置の全幅にわたってのびる冷陰極管から放出される。
【０００７】
特許文献５には、カメラ及び平行光線の光源を用いた指紋読取装置が記載されている。
【０００８】
特許文献６には、ＣＣＤセンサーの前方にレンズを配置する、二つのプリズムを用いた指紋読取装置が記載されている。
【０００９】
特許文献７には、クレジットカードフォーマットをもつカードを用いて指紋の画像をスキャナーに伝送する指紋の認証方法が記載されている。
【００１０】
非特許文献１には、ホログラフィク導波管を用いた装置が記載されている。
【特許文献１】米国特許第６３８１３４７号
【特許文献２】米国特許第６２５９１０８号
【特許文献３】米国特許第６３５５９３７号
【特許文献４】欧州特許出願ＥＰ１０２２６７５
【特許文献５】米国特許第５６１９５８６号
【特許文献６】欧州特許出願ＥＰ１１０４９０８
【特許文献７】米国特許第６１８２８９２号
【非特許文献１】文献“Ｗａｖｅｇｕｉｄ  ｈｏｌｏｇｒａｍ  ｆｉｎｇｅｒｐｒｉｎｔ  ｅｎｔｒｙ  ｄｅｖｉｃｅ”  Ｏｐｔｉｃａｌ  Ｅｎｇｉｎｅｅｒｉｎｇ、  Ｓｏｃｉｅｔｙ  ｏｆ  Ｐｈｏｔｏ−ｏｐｔｉｃａｌ  Ｉｎｓｔｒｕｍｅｎｔａｔｉｏｎ  Ｅｎｇｉｎｅｅｒｓ−Ｂｅｌｌｉｎｇｈａｍ  ＵＳ、ｖｏｌ．３５、Ｎｏ．９
【発明の開示】
【発明が解決しようとする課題】
【００１１】
小さなサイズで大機名スケールの使用に匹敵するコストで信頼して製造できる改良型の装置で利益を得る必要がある。
【００１２】
本発明の目的は、特に、この要求を満たすことにある。
【課題を解決するための手段】
【００１３】
本発明の第１の特徴によれば、本発明は、
光源と、
光源からの光線が伝播できる光学媒体と、
光学媒体の一つの境界で画定された検出表面と、
光源から入ってきて検出表面で反射する光線が反射される画像センサーと
を有する光学画像作成装置にあり、
この装置は、画像センサー上に直接画像を形成できるようにするため光源が十分に点状であるとして画像センサーから現われるようにして構成されることを特徴としている。
【００１４】
用語“直接画像を形成”は本発明の概念の範囲内で、幾何学的光学における投影法に従ってレンズ系なしで画像を形成できることを意味することを理解されるべきである。
【００１５】
本発明は多くの利点をもたらす。
第１に、本装置は、比較的容易に小型化でき、そして堅牢性及び信頼性を高めて構成できるようになる。
【００１６】
第２に、本装置の製造は複雑でなく、それにより本装置のコストを低減でき、本装置の利用を汎用化できるようになる。
【００１７】
さらに、光源の電力消費を低減でき、それにより特に光学画像作成装置が例えば電話又はパーソナルデジタル援助機器のような携帯可能な機器に用いられる場合に寿命を延ばすことができるようになる。
【００１８】
光源は、画像センサーの分解能に匹敵するサイズの画像センサーで見ることができる。例えば、約５０μｍのサイズの検出セルをもつセンサーの場合、光源の二つの極限点から出てきて検出表面上の同一点を通過する二つの光線は、センサーで画定した観察平面において１００μｍ未満、なお一層良くはセンサーの検出セルのサイズの距離又はそれ以下分離される画像を形成できる。
【００１９】
光源は、光学媒体内又は光学媒体の外側に配置され得る。特に、光源及び光学媒体は空気層で分離され得、又はされ得ない。
【００２０】
同様に、画像センサーは、光学媒体内又は光学媒体の外側に配置され得る。特に、画像センサー及び光学媒体は空気層で分離され得、又はされ得ない。
【００２１】
画像センサーは光学媒体から分離可能にでき又は分離可能にできない。画像センサーは、特に、支払い又はアクセスカード或いはキー又は任意の他の個人的対象物のような取外し可能な支持体に一体化され得、また光学媒体は支持体と共動するのに適した読取装置に属し得る。
【００２２】
支持体は、センサーのみ備え得、また随意にはセンサーから読取装置へデータを伝送するように構成した電気接点を備え得る。適切に場合には、支持体は、例えばプロセッサー及び（又は）少なくとも一つの記憶装置を備えた少なくとも一つのマイクロ回路を備え得る。
【００２３】
センサーを光学媒体から分離する可能性における一つの利点は、特に、幾つかの異なる読取装置で同一のセンサーを用いることができることにある。これにより、指紋に対応した画像又はアナログ又はデジタルシグニチャを認識する信頼性がさらに高められる。
【００２４】
本装置は、光源から出て画像センサーに到達する光線が単に検出表面でのみ反射されるようにして構成され得る。変形例として、本装置は、光源から出た光線が、画像センサーに到達する前に特に光学媒体において少なくとも二回反射を受けるようにして構成され得る。
【００２５】
画像センサーは線形又はマトリックスセンサーであり得る。
【００２６】
光源は、変調され、特に輝度変調されて、信号対雑音比を高めるようにされ得、画像センサーを光源のこの変調に同調させることができる。
【００２７】
使用できる変調の例は、特に、刊行物Ｙ．Ｎｉ及びＸ．Ｌ．Ｙａｎ著“ＣＭＯＳ  ａｃｔｉｖｅ  ｄｉｆｆｅｒｅｎｔｉａｌ  ｉｍａｇｉｎｇ  ｄｅｖｉｃｅ  ｗｉｔｈ  ｓｉｎｇｌｅ  ｉｎ−ｐｉｘｅｌ  ａｎａｌｏｇ  ｍｅｍｏｒｙ”  ＥＳＳＣＩＲＣ  ’０２  九月号２４−２６  ２００２年  イタリア国フローレンス  ｐｐ３５９−３６２に記載されている。
【００２８】
光源は、可視、赤外線待たし紫外線領域の幾つかの波長で発光し、画像センサーは、これらの各波長に相応した画像を分析するように構成され得る。
【００２９】
二つのそれぞれ異なる波長で形成された画像の少なくとも二つの分析により、適切な場合には、検出の信頼性を改善することができる。
【００３０】
本発明の一つの実施形態では、光源は、画像センサーの表面のレベルより下方に位置する。このような構成により、簡単な仕方で、光源から出た光が直接画像センサーに達するのを阻止することができる。
【００３１】
例えば、光源は印刷回路、特に多層印刷回路の凹部に配置され得る。
【００３２】
本発明の一つの実施形態では、本装置は、画像センサー及び光源を覆う、すなわち光学媒体を部分的に画定する透明材料のブロックを有する。
【００３３】
このブロックは、例えば、画像センサー及び光源上に成形され、又はこれらの両方に接合され得る。接合の場合には、これは透明接着剤、例えば紫外線硬化可能な接着剤によって行われ得る。
【００３４】
有利には、上記のブロックは、画像センサーの頂部に、画像センサーに達する迷走光線の量を低減する手段を備えている。これ等の手段は例えば、センサーに対してほぼ垂直な艶消表面及び（又は）マスクを備え得る。
【００３５】
ブロックの材料は例えば、迷走光線の伝播を減衰しながら光源から出た光線の伝播を促進させるように光源の波長に応じて選択され得る。
【００３６】
本発明は、本発明を限定しない実施形態についての詳細な説明を読みそして添付図面を考察することにより一層明瞭に理解され得る。
【発明を実施するための最良の形態】
【００３７】
図２に示す光学画像作成装置は、例えば指紋を分析するために指Ｆを載せることのできる検出表面１１を画定する空気との境界をもつ光学媒体１０を備えている。
【００３８】
指Ｆは、検出表面１１と接触する隆起部の形態の領域Ｂを局部的にもち、そしてかかる領域からセットバックした部分Ｃがくぼみとなっている。
【００３９】
検出表面１１は光源１３で照射される。指Ｆのない場合には、検出表面１１において光線が全反射する。指Ｆが存在する場合には、皮膚との界面にフラストレートした反射が生じられる。
【００４０】
本発明の一つの特徴によれば、光源１３は、検出表面１１で反射した後、画像センサー１５で画定された観察平面１４から観察した際に実質的に点光源として振舞う。
【００４１】
幾何学的光学の法則によれば、画像は観察平面１４において観察でき、この画像は図２に示す例では検出表面１１の平面に対して光源１３と対称の光源１３’で得られる画像に相応し、単に皮膚及び検出表面１１と接触しない領域を通過する光線のみが観察平面１４内に受けられ、光源１３’は観察平面１４における皮膚と検出表面との接触領域の“陰影”である。
【００４２】
光学媒体１０は、空気より稠密な無機又は有機ガラスのような色つき又は色つきでない任意の透明材料で構成され得る。
【００４３】
光学媒体１０は、特に、常温では固体でありかつ光源１３から出てセンサー１５で検出される少なくとも光の波長で透明であるプラスチックから成り得る。
【００４４】
光学媒体１０の色は、センサー１５に到達する迷走光線の量を低減するように、別の波長をもつ光を減衰しながら、光源１３から放出された光の伝播を促進するように選択され得る。
【００４５】
画像センサー１５は、例えばセンサー１５から出されたデータからより完全な画像を再生し及び（又は）センサー１５で受けた少なくとも一つの画像から、検出表面１１に指を載せたまた場合によって上記検出表面上で指を動かした人を特定するように構成した任意の適切な処理装置（図示していない）に接続され得る。
【００４６】
用語“画像”は限定的に取られてはならず、画像は例えば観察平面１４における明るい又は暗い点に変えられ得る。
【００４７】
処理装置は、特に指紋の一つ以上の画像及び（又は）相応したシグニチャを記録する記憶装置に対するアクセスを有し及び（又は）備え得、また処理装置は、センサー１５で受けた新しい画像及び（又は）相応したシグニチャを予め記憶されたデータと比較するように構成され得る。
【００４８】
画像センサー１５は、例えばＣＣＤ、ＣＭＯＳ又は他の形式の図３に示すような線形センサー又は図４に示すようなマトリックスセンサーであり得る。
【００４９】
線形センサーは例えば端部同士合わせて配置した検出セルの一つ以上の線形アレイを有し、各線形アレイは例えば少なくとも２５６個のセルを有している。
【００５０】
マトリックスセンサーは例えば少なくとも２５６個のセルの少なくとも二つの列を有している。
【００５１】
少数の列を備えた線形又はマトリックスセンサーを使用することにより、大きな画像より少ない歪みで小さな画像を分析することができる。線形センサーを用いた場合には、このセンサーは適切な場合には指の動きと検出を同期化するように、指の通過による動きを受けるように駆動される機構と結合され得る。
【００５２】
数列をもつ線形又はマトリックスセンサーは、特に指Ｆを検出表面１１の長手方向軸線に垂直な方向に検出表面１１上を動かす際に用いられ得、センサー１５で得られた各画像は指の表面の相対的に狭い帯領域に相応している。
【００５３】
画像センサー１５は、一つ以上の特定の波長で画像を分析するように構成され得る。
【００５４】
好ましくは、周囲照射の問題を考慮に入れるように、光源１３は、輝度変調した光線を放出し、そしてセンサー１５は光源１３の変調周波数に同調される。従って、光源１３からの光線で搬送される情報は周囲のノイズからさらに分離され得、信号対雑音比は増大される。
【００５５】
観察平面１４で受けた画像は、光源１３が点光源である場合にはそれの寸法及び（又は）距離のために一様にシャープである。光源１３のサイズ及び距離の減少によりまた、観察平面に形成される画像のサイズ及び従って使用したセンサー１５のサイズを減少することができ、形成するのが望ましい画像でカバーされる領域はセンサー１５の検出セルでカバーされた領域に近い。
【００５６】
また、検出表面１１とセンサー１５との間の距離はできる限り短いのが望ましいことを示し得る。
【００５７】
検出表面１１は例えば指紋の幅と同様な幅にわたってのび得る。
【００５８】
光源１３を作るために、拡散装置やレンズをもたない小型光学構成要素、例えば単一発光ダイオード又はレーザーダイオードを用いるのが有利であり、また例えば多重反射によって光源１３を観察平面１４から離れて配置するのが有利であり得る。適切な場合には、光源１３は、光の点状出口に対して単一の小さな開口をもつマスク（図示していない）を備え得る。
【００５９】
光源１３はまた、適切な場合には、光学繊維を備え得る。光線は特にこの光学繊維の端部から放出され得る。
【００６０】
多重反射は、光学媒体１０と空気との間又は光学媒体１０と屈折率の小さい別の媒体との間の界面及び（又は）光学媒体１０に対して外部又は内部の反射表面、特に金属化した表面における内部反射であり得る。
【００６１】
観察表面１４及び検出表面１１の方向決め（配向）及び相対構成は変えることができる。
【００６２】
図５には、本発明の別の実施形態を示し、検出表面１１は観察平面１４に対してほぼ９０°に方向決めされる。
【００６３】
さらに、この実施形態では、光源１３は光学媒体１０の外側に位置し、光線は光学媒体の一つの面１６に垂直にこの光学媒体に入り、装置は、検出表面１１上で単に単一反射するように構成されている。
【００６４】
図６に示す実施形態では、光源１３と観察表面１４との間で複数回中間反射し、それにより光源１３を観察平面１４から随意に離すことができ、また例えば薄い光学媒体１０を用いることができ、これは例えばプレートの形状である。
【００６５】
この実施形態において、光線は検出平面１１に達する前に、光学ガイドを画定する二つの面１７、１８において連続して反射されることによって伝播する。検出表面１１は本実施形態においては平面である面１６の延長に位置する。平面である面１７は面１６に平行であり、そしてセンサー１５を支持する支持体２５に接触する。
【００６６】
図７に示す実施形態では、装置は長手方向軸線Ｘに沿って伸張した一般的な形状をもち、検出表面１１は装置の一つの軸方向端部に位置している。例えば、装置はカードの形状であり、このカードはさらに、例えば遠隔データ交換用のアンテナ及び（又は）電気接点を備え得る。カードは特に光源１３へ電力を供給する複数の接点を備えている。
【００６７】
光学媒体１０は支持体１９をカバーし、支持体１９はこの実施形態では光源１３及び画像センサー１５から離れて、センサー１５からのデータを処理する回路２０を担持している。
【００６８】
この図に示す実施形態では、光源１３から放出された光線は支持体１９にほぼ平行に伝播して検出平面１１に到達し、センサー１５に向って反射される。
【００６９】
光学媒体１０は、単に、検出表面１１におけるフラストレートした反射の後形成された画像を分析する観点で、光源１３から放出された光線を伝播する働きをし得る。
【００７０】
光学媒体１０は、また、少なくとも一つの別の作用をもち、特に図８に示すようにディスプレイ２１、特に携帯端末装置のディスプレイを保護する働きをし得る。
【００７１】
この実施形態では、光学媒体１０は第１の部分２２を備え、光源１３から放出された光線はセンサー１５まで伝播し、この第１の部分は検出表面１１を画定し、また光学媒体１０はディスプレイ２１をカバーする第２の受動部分２３を備えている。随意に、第１の部分はディスプレイ２１を少なくとも部分的にカバーし得る。
【００７２】
センサー１５は光学媒体１０から分離でき、そして特に例えば電気接点又は無線周波数装置のようなデータ交換用の手段も備える支払い又はアクセスカードのように支持体に一体化できる。
【００７３】
例示するために、図１０には支払いカード２７を示し、このカード２７はセンサー１５、例えば線形センサー及び複数の電気接点を備えるマイクロ回路２６を含んでいる。
【００７４】
カード２７は、光源及びマイクロ回路２６を読取る装置（これらは図示していない）を備える読取装置２９に受けられるようにされている。
【００７５】
カード２７は、読取装置２９の光学媒体１０の下方に配置され、検出表面１１は、カード２７を挿入した時に光源からの光線がセンサー１５上で反射されるように構成されている。
【００７６】
カード２７を読取装置２９に挿入した利用者は検出表面１１上で矢印Ｍの方向に自分の指Ｆを動かすことができる。これにより、センサー１５で画像の連続体を読取ることができ、この画像の連続体は指紋を表わしている。指紋読取装置は例えばキーボードにおける信用カードの入力に代えることができる。データはセンサー１５によってマイクロ回路２６へそして読取装置２９へ伝送され得る。
【００７７】
カード２７は、例えばキーのような任意の他の対象物に代えることもできる。
【００７８】
図１１及び図１２には、印刷回路３０上に、光源１３及びセンサー１５を有する装置を示し、これらの要素はできれば、例えば透明な無機又は有機材料のブロック３３から成る光学媒体１０で覆われている。このブロック３３は透明な相対的に流体接着剤、例えば紫外線硬化性接着剤の層３１で回路３０に固着され得る。
【００７９】
図１２において見られるように、光源１３は、観察平面１４を画定するセンサー１５の表面のレベルより下方に位置し、それで光源１３から放出した光線は直接この観察平面１４に到達しない。
【００８０】
また図１２に見られるように、ブロック３３の外表面３２は有利には艶消しされ、又は観察平面１４と垂直に配置した領域におけるマスク３４を備え、それにより観察平面１４に達する迷走光線の量を低減することができる。
【００８１】
光源１３を収容する凹部３６は例えば、印刷回路３０が多層構造を備える場合に、印刷回路３０の層を除去することによって形成される。
【００８２】
本発明による光学画像作成装置は、識別及びアクセス制御以外の応用に用いることができ、特に、検出表面１１にわたってスタイラスのような無生物の動き又は指の動きを分析することによって物理的かそうでないか、カーソル又は他の物体を制御するのに用いられ得る。
【００８３】
センサー１５は、特に少なくとも一方向及び好ましくは二つの相互に垂直な方向における検出表面に対する指の動きを測定できる処理装置と組合され得る。そして検出表面１１は例えば携帯電話におけるナビゲーションボタンに代えることができる。
【００８４】
本装置はまた、例えば化粧又は皮膚科学的目的のために皮膚のミクロレリーフを分析するように身体の非皮膚描画症領域の画像を取るのに用いられ得る。
【００８５】
本装置はまた、支払い端末装置又は他の計算、電話通信又は診断装置と結合され得る。
【００８６】
本発明による装置はまた、例えば提供された事業（サービス）又は表示された物品についての情報を得るために、通行人がディスプレイ窓に質問できるように、図１３に示すようにディスプレイ窓４０に一体に組み込まれ得る。
【００８７】
本発明による装置はまたタッチスクリーンに一体に組み込まれ得る。
【００８８】
図１３の実施形態では、本発明による単一装置だけが示されているが、言うまでもなく、ディスプレイ窓又はタッチスクリーンには本発明による幾つかの装置を設けることができる。
【００８９】
また、図１２に示す実施形態におけるブロック３３は頂部に少なくとも光源１３とセンサー１５とを収納する液状樹脂に代えることもできる。
【００９０】
センサー１５は一列以上の基本検出器、例えば少なくとも二列の検出器を備えて、特に検出表面における指の動きの速度を測定できるようにすることもでき、これにより指紋の画像の画質を改善でき、指紋の認識を容易にできるようになる。
【００９１】
指の動きの速度は、例えば一方の列のセンサーで読取った画像の一つの線にかかる時間を他方の列のセンサーで読取られるように測定することによって測定できる。
【００９２】
以上説明してきた種々の実施形態の特徴は本発明の範囲から逸脱することなしに互いに組合され得る。
【００９３】
また上記で説明した実施形態に対して種々の変更がなされ得る。特に、例えば検出表面は平面でなくてもよい。
【００９４】
特許請求の範囲を含む明細書の記載において、用語“含む”又は“有する又は備える”は特に明記しない限り“少なくとも一つ含む”又は“少なくとも一つ有する又は備える”と同義であると理解されなければならない。
【図面の簡単な説明】
【００９５】
【図１】先行技術による装置を示す図。
【図２】本発明による装置の第１の実施形態を概略的に示す図。
【図３】線形画像センサーを概略的に示す図。
【図４】マトリックス画像センサーを概略的に示す図。
【図５】本発明による画像作成装置の一実施形態を概略的にかつ部分的に示す横断面図。
【図６】本発明による画像作成装置の一実施形態を概略的にかつ部分的に示す横断面図。
【図７】本発明による画像作成装置の一実施形態を概略的にかつ部分的に示す横断面図。
【図８】本発明による画像作成装置の一実施形態を概略的にかつ部分的に示す横断面図。
【図９】画像センサーを備えるカードの一実施形態の上面図。
【図１０】図９のカードと共動するように構成した読取装置の一実施形態を示す概略部分縦断面図。
【図１１】本発明の例示実施形態によるセンサーと電源とを備える装置を示す概略部分斜視図。
【図１２】図１１のＸＩＩ−ＸＩＩに沿った概略部分断面図。
【図１３】ディスプレイ窓に本発明に従って製作した装置に使用した例を示す斜視図。
【図１】
2007516492.tif 000003
【図２】
2007516492.tif 000004
【図３】
2007516492.tif 000005
【図４】
2007516492.tif 000006
【図５】
2007516492.tif 000007
【図６】
2007516492.tif 000008
【図７】
2007516492.tif 000009
【図８】
2007516492.tif 000010
【図９】
2007516492.tif 000011
【図１０】
2007516492.tif 000012
【図１１】
2007516492.tif 000013
【図１２】
2007516492.tif 000014
【図１３】
2007516492.tif 000015
【国際調査報告】
2007516492.tif 000016
2007516492.tif 000017
2007516492.tif 000018
2007516492.tif 000019
2007516492.tif 000020
2007516492.tif 000021